(57)【要約】【課題】異音が生じにくくすることができ、大振幅及び微振幅のいずれも減衰させやすくすることができる液封入式防振装置を提供する。【解決手段】仕切り体１２は、金属薄板製の仕切り板１５と、一対の挟持部材１６，１７とから成り、ゴム部材１８は、第１ゴム部８１と第２ゴム部８２と第３ゴム部８３とから成り、一方の挟持部材１６は第１ストッパ面８５を、他方の挟持部材１７は第２ストッパ面８６を備え、外周縁８０が一対の挟持部材１６，１７の径方向内方側の端面８９よりも径方向外方側に位置し、オリフィス２５は、一対の挟持部材１６，１７を内嵌させる嵌合筒部１００の内周部と、一対の挟持部材１６，１７の外周部との間に形成され、嵌合筒部１００が拡径されて、オリフィス２５の全体又は一部分が第１液室１１Ａの内周壁１０１よりも前記径方向外方側に位置している。【選択図】        図１
2005180543.tif 000002
【特許請求の範囲】
【請求項１】
第１取付け具と、筒状の第２取付け具と、これらを連結するゴム状弾性材から成る防振基体と、前記第２取付け具に取付けられて前記防振基体との間に液体封入室を形成するダイヤフラムと、前記液体封入室を前記防振基体側の第１液室と前記ダイヤフラム側の第２液室に仕切る仕切り体と、前記第１液室と第２液室を連通させるオリフィスとを備えている液封入式防振装置であって、
前記仕切り体は、外周部がゴム部材で覆われた金属薄板製の仕切り板と、前記第２取付け具に内嵌し、前記ゴム部材を前記仕切り板の軸芯方向で挟持固定する一対のリング状の挟持部材とから成り、
前記ゴム部材は、前記仕切り板の外周縁よりも径方向内方側に位置する第１ゴム部と、前記仕切り板の外周縁よりも径方向外方側に位置するとともに前記軸芯方向にくびれた第２ゴム部と、この第２ゴム部よりも前記径方向外方側に位置するとともに前記軸芯方向に立ち上がり、前記一対の挟持部材に挟持される第３ゴム部とから成り、
一方の挟持部材は、前記軸芯方向一方側から前記第１ゴム部を受止め可能な第１ストッパ面を備え、他方の挟持部材は、前記軸芯方向他方側から前記第１ゴム部を受止め可能な第２ストッパ面を備え、
前記仕切り板の外周縁が前記一対の挟持部材の前記径方向内方側の端面よりも前記径方向外方側に位置しており、
前記オリフィスは、前記一対の挟持部材を内嵌させる第２取付け具の嵌合筒部の内周部と、前記一対の挟持部材の外周部との間に形成され、前記嵌合筒部が拡径されて、前記オリフィスの全体又は一部分が前記第１液室の内周壁よりも前記径方向外方側に位置している液封入式防振装置。
【請求項２】
前記一方の挟持部材は、前記軸芯方向一方側から前記第２ゴム部を受止め可能な第３ストッパ面を備え、他方の挟持部材は、前記軸芯方向他方側から前記第２ゴム部を受止め可能な第４ストッパ面を備えている請求項１記載の液封入式防振装置。
【請求項３】
前記第１ゴム部と第２ゴム部は滑らかに連なって前記径方向外方側ほど薄肉のテーパー状に形成され、
前記第１ストッパ面と第２ストッパ面と第３ストッパ面と第４ストッパ面は、前記第１ゴム部及び第２ゴム部のテーパー面に平行な傾斜面に設定されて前記テーパー面に近接している請求項２記載の液封入式防振装置。
【請求項４】
前記第２取付け具の嵌合筒部と、前記防振基体側の第２取付け具部分とが分割されるとともに、前記嵌合筒部と前記第２取付け具部分が互いに溶接固着されている請求項１〜３のいずれか一つに記載の液封入式防振装置。
【発明の詳細な説明】
【技術分野】
【０００１】
本発明は、第１取付け具と、筒状の第２取付け具と、これらを連結するゴム状弾性材から成る防振基体と、前記第２取付け具に取付けられて前記防振基体との間に液体封入室を形成するダイヤフラムと、前記液体封入室を前記防振基体側の第１液室と前記ダイヤフラム側の第２液室に仕切る仕切り体と、前記第１液室と第２液室を連通させるオリフィスとを備えている液封入式防振装置に関する。
【背景技術】
【０００２】
上記の液封入式防振装置は、例えば、自動車のエンジンと車体フレームとの間に設けられている。従来、この種の液封入式防振装置において仕切り体は、径方向中央側が厚肉に膨らんだ円板状のゴム製の仕切り体と、前記第２取付け具側に取付けられ、前記ゴム状弾性体の周縁部を前記ゴム状弾性体の軸芯方向で挟持固定する一対の円形リング状の挟持部材とから成り、一方の挟持部材は、前記軸芯方向一方側から仕切り体の周縁部を受止め可能な第１ストッパ部を内周部に備え、他方の挟持部材は、前記軸芯方向他方側からゴム状弾性体の周縁部を受止め可能な第２ストッパ部を内周部に備えていた［特許文献１参照］。
【０００３】
そして微振幅の振動が生じた場合、第１液室と第２液室の間のオリフィスを液体が流通することはなく、第１液室の内圧（液圧）が仕切り体に伝わって仕切り体が往復動変形し、第１液室の内圧を吸収して微振幅の振動を減衰させる。大振幅の振動が生じて第１液室の内圧が所定の値になると、仕切り体の周縁部が一対の挟持部材の第１ストッパ部又は第２ストッパ部に受止められて変位が制限され、液体がオリフィスを通って両液室間のオリフィスを流動する。その液体流動効果によって大振幅の振動を減衰させる。
【特許文献１】特許第２８５７４６２号公報
【発明の開示】
【発明が解決しようとする課題】
【０００４】
上記の液封入式防振装置では、前記仕切り体を第１液室の内圧の変化に追従変形しやすくしすぎると、大振幅の振動が生じたときに仕切り体を変位規制（変形の制限）するのが困難になり、液体がオリフィスを通りにくくなることから、仕切り体を上記のように径方向中央側が厚肉に膨らんだ形状にしてある程度剛性を強くしてある。しかしながら、従来の構成によれば、仕切り体がゴム製であったために、仕切り体を厚肉にしたにもかかわらず仕切り体の変位規制が不十分になることがあり、第１液室の内圧が目標の値になっても液体がオリフィスを通らずに、大振幅の振動を減衰させにくなることがあった。
【０００５】
前記仕切り体を、弾性仕切り膜と、この弾性仕切り膜の変位量をその両側から規制する一対の格子部材とから構成した液封入式防振装置も提案されているが、この構造では、弾性仕切り膜と格子部材とが衝突して異音が発生しやすい。そのうえ、弾性仕切り膜に第１液室の内圧を伝えるための開口が格子部の分だけ狭くなり、第１液室の内圧を吸収しにくくなる。
【０００６】
本発明は上記実状に鑑みて成されたもので、その目的は、異音が生じにくくすることができ、大振幅及び微振幅のいずれもの振動も減衰させやすくすることができる液封入式防振装置を提供する点にある。
【課題を解決するための手段】
【０００７】
本発明の特徴は、冒頭に記載した液封入式防振装置において、前記仕切り体は、外周部がゴム部材で覆われた金属薄板製の仕切り板と、前記第２取付け具に内嵌し、前記ゴム部材を前記仕切り板の軸芯方向で挟持固定する一対のリング状の挟持部材とから成り、
前記ゴム部材は、前記仕切り板の外周縁よりも径方向内方側に位置する第１ゴム部と、前記仕切り板の外周縁よりも径方向外方側に位置するとともに前記軸芯方向にくびれた第２ゴム部と、この第２ゴム部よりも前記径方向外方側に位置するとともに前記軸芯方向に立ち上がり、前記一対の挟持部材に挟持される第３ゴム部とから成り、
一方の挟持部材は、前記軸芯方向一方側から前記第１ゴム部を受止め可能な第１ストッパ面を備え、他方の挟持部材は、前記軸芯方向他方側から前記第１ゴム部を受止め可能な第２ストッパ面を備え、
前記仕切り板の外周縁が前記一対の挟持部材の前記径方向内方側の端面よりも前記径方向外方側に位置しており、
前記オリフィスは、前記一対の挟持部材を内嵌させる第２取付け具の嵌合筒部の内周部と、前記一対の挟持部材の外周部との間に形成され、前記嵌合筒部が拡径されて、前記オリフィスの全体又は一部分が前記第１液室の内周壁よりも前記径方向外方側に位置している点にある。
【０００８】
この構成によれば次の作用を奏することができる。すなわち、微振幅の振動が生じた場合、第１液室と第２液室の間のオリフィスを液体が流通することはなく、第１液室の内圧（液圧）が金属薄板製の仕切り板に伝わって仕切り板が軸芯方向に往復動変形し、第１液室の内圧を吸収して微振幅の振動を減衰させる。大振幅の振動が生じて第１液室の内圧が所定の値になると、一方の挟持部材の第１ストッパ面が仕切り板の外周部側の第１ゴム部を仕切り板の軸芯方向で受止めるか、又は、他方の挟持部材の第２ストッパ面が仕切り板の外周部側の第１ゴム部を前記軸芯方向で受止めて仕切り板の変位を制限し、液体がオリフィスを通って両液室間を流動する。その液体流動効果によって大振幅の振動を減衰させる。
【０００９】
仕切り板の外周部に設けたゴム部材は、仕切り板の外周縁よりも径方向内方側に位置する第１ゴム部と、仕切り板の外周縁よりも径方向外方側に位置するとともに前記軸芯方向にくびれた第２ゴム部と、この第２ゴム部よりも径方向外方側に位置するとともに前記軸芯方向に立ち上がり、前記一対の挟持部材に挟持される第３ゴム部とから成るから、前記軸芯方向にくびれた第２ゴム部の作用によって仕切り板が往復動変形しやすくなるとともに、第３ゴム部の作用で挟持固定が解除されにくくなる。
【００１０】
そして、仕切り板の外周縁が一対の挟持部材の前記径方向内方側の端面よりも前記径方向外方側に位置していることで、仕切り板の軸芯方向視で仕切り板の外周部と一対の挟持部材とが重複しているから、第１ストッパ面と第２ストッパ面で仕切り板を受止めやすくなり、仕切り板を金属製の薄板で構成したことと相俟って、仕切り板を変位規制しやすくすることができる。
【００１１】
つまり、仕切り板は第１ストッパ面と第２ストッパ面で受止められるまでは、前記くびれた第２ゴム部の作用で円滑に往復動変形するが、一旦、第１ストッパ面と第２ストッパ面で受止められると、往復動変形しにくくなる。
【００１２】
その結果、微振幅が生じたときは、第１液室の内圧を十分吸収して振動を減衰させることができるとともに、大振幅が生じて第１液室が所望の内圧になったときは、液体を円滑にオリフィスに流して、大振幅の振動を減衰させやすくすることができる。
【００１３】
例えば、仕切り体を、弾性仕切り膜と、この弾性仕切り膜の変位量をその両側から規制する一対の格子部材とから構成すると、格子部材と弾性仕切り膜が衝突して異音が発生しやすくなるとともに、弾性仕切り膜に第１液室の内圧を伝えるための開口が格子部の分だけ狭くなり、第１液室の内圧を吸収しにくくなる。その結果、高周波数・微振幅の振動の入力があった場合に低動ばね化を図ることが困難になるが、本発明によれば、上記の異音の発生を防止することができ、前記開口を大きくすることができて前記内圧を吸収しやすくなり、高周波数・微振幅の振動の入力があった場合に低動ばね化を図ることができる。
【００１４】
また、前記オリフィスは、前記一対の挟持部材を内嵌させる第２取付け具の嵌合筒部の内周部と、前記一対の挟持部材の外周部との間に形成され、前記嵌合筒部が拡径されて、前記オリフィスの全体又は一部分が前記第１液室の内周壁よりも前記径方向外方側に位置しているから、拡径してない構造よりも仕切り板を大径に形成することができて、第１液室の液体に対する仕切り板の受圧面積を大きくすることができる。その結果、前記開口をより大きくすることができて前記内圧を吸収しやすくなり、微振幅の振動の減衰により有利になる。そして、前記嵌合筒部が拡径されているだけであるから、第２取付け具の大型化を抑制することができる。
【００１５】
本発明において、前記一方の挟持部材は、前記軸芯方向一方側から前記第２ゴム部を受止め可能な第３ストッパ面を備え、他方の挟持部材は、前記軸芯方向他方側から前記第２ゴム部を受止め可能な第４ストッパ面を備えていると、仕切り板をより変位規制しやすくなる。
【００１６】
本発明において、前記第１ゴム部と第２ゴム部は滑らかに連なって前記径方向外方側ほど薄肉のテーパー状に形成され、
前記第１ストッパ面と第２ストッパ面と第３ストッパ面と第４ストッパ面は、前記第１ゴム部及び第２ゴム部のテーパー面に平行な傾斜面に設定されて前記テーパー面に近接していると、前記テーパー面と各ストッパ面とを軟らかく当接させることができ、より異音を防止しやすくすることができる。
【００１７】
本発明において、前記第２取付け具の嵌合筒部と、前記防振基体側の第２取付け具部分とが分割されるとともに、前記嵌合筒部と前記第２取付け具部分が互いに溶接固着されていると、例えば、前記嵌合筒部と第２取付け具部分を一体にプレス成形する場合よりも製作が簡単で製作コストを低廉化できる。
【発明の効果】
【００１８】
本発明によれば、異音が生じにくくすることができ、大振幅及び微振幅のいずれも減衰させやすくすることができる液封入式防振装置を提供することができた。
【発明を実施するための最良の形態】
【００１９】
以下、本発明の実施の形態を図面に基づいて説明する。図１に液封入式防振装置を示してある。この装置は、自動車のエンジンに取付けボルト６を介して取付けられる板状の第１取付け金具１と、エンジンの下方の車体フレームに取付けボルト６介して取付けられる筒状の第２取付け金具２と、これらを連結するゴム状弾性材から成る防振基体３とを備えている。
【００２０】
第２取付け金具２は、防振基体３が加硫成形される上側の筒状金具４と、後述のダイヤフラム９を覆うカップ状の下側の底金具５とから成る。防振基体３は円錐台形状に形成され、その上端面が第１取付け金具１に、下端部が筒状金具４の上広がり状の上端開口部にそれぞれ加硫接着している。この防振基体３の下面部に上窄まりの中空部が形成され、防振基体３の下端部に、筒状金具４の内周面を覆うゴム膜７が連なっている。
【００２１】
第２取付け金具２に、防振基体３の下面との間に液体封入室８を形成するゴム膜から成る部分球状のダイヤフラム９が取付けられ、液体封入室８に液体が封入されている。そして、液体封入室８を防振基体３側の第１液室１１Ａとダイヤフラム側の第２液室１１Ｂに仕切る仕切り体１２が、筒状金具４側の支持円板１４と後述のフランジ１０３とによって挟持固定され、第１液室１１Ａと第２液室１１Ｂを連通させるオリフィス２５が設けられている。
【００２２】
前記仕切り体１２は、外周部がゴム部材１８で覆われた円形金属薄板製の仕切り板１５と、筒状金具４側に内嵌し、ゴム部材１８を仕切り板１５の軸芯方向（上下方向）で挟持固定する上下一対の円形リング状の挟持部材１６，１７とから成る。図４，図５に示すようにゴム部材１８は、仕切り板１５の外周縁８０よりも径方向内方側に位置する第１ゴム部８１と、仕切り板１５の外周縁８０よりも径方向外方側に位置するとともに前記軸芯方向にくびれた第２ゴム部８２と、この第２ゴム部８２よりも径方向外方側に位置するとともに前記軸芯方向両側に立ち上がり、一対の挟持部材１６，１７に挟持される第３ゴム部８３とから成る。
【００２３】
前記第１ゴム部８１（詳しくは径方向外方側の第１ゴム部分）と第２ゴム部８２は滑らかに連なって前記径方向外方側ほど薄肉のテーパー状に形成され、第３ゴム部８３の立上がり端部は縦断面円弧状に形成されている。
【００２４】
一対の挟持部材１６，１７は互いに軸芯方向で嵌合している。前記オリフィス２５は、一対の挟持部材１６，１７を内嵌させる筒状金具４の嵌合筒部１００の内周部（詳しくはゴム膜７）と、前記一対の挟持部材１６，１７の外周部との間に形成され、一方の挟持部材１６（以下、「上側の挟持部材１６」）の切欠き１９を介して第１液室１１Ａと連通し、支持円板１４の開口５８を介して第２液室１１Ｂと連通している。
【００２５】
図４に示すように、上側の挟持部材１６は前記軸芯方向一方側（上側）から第１ゴム部８１を受止め可能な第１ストッパ面８５と、第２ゴム部８２を受止め可能な第３ストッパ面１０８とを備え、他方の挟持部材１７（以下、「下側の挟持部材１７」）は、前記軸芯方向他方側（下側）から第１ゴム部８１を受止め可能な第２ストッパ面８６と、第２ゴム部８２を受止め可能な第４ストッパ面１０９とを備えている。
【００２６】
第１ストッパ面８５と第３ストッパ面１０８と第２ストッパ面８６と第４ストッパ面１０９は、前記第１ゴム部８１及び第２ゴム部８２のテーパー面８７，８８に平行な傾斜面に設定されて前記テーパー面８７，８８に近接している。第１〜第４ストッパ面８５，８６，１０８，１０９とテーパー面８７，８８との間隔は、例えば０．１ｍｍ〜０．３ｍｍに設定することができる。
【００２７】
図５に示すように、上側の挟持部材１６は仕切り板１５の第３ゴム部８３の上半部を嵌合させる断面円弧状の環状溝９０を備え、下側の挟持部材１７は、第３ゴム部８３の下半部を嵌合させる環状の段部９１を備えている。前記環状溝９０を形成する挟持部材１６の外側周壁から延出周壁部９２が下方に延出し、この延出周壁９２の内周面９３が第３ゴム部８３の外周面を前記径方向外方側から受止めている。そして前記延出周壁９２の下端部が下側の挟持部材１７の上端側の嵌合筒部９４に外嵌している。
【００２８】
図４に示すように、仕切り板１５の外周縁８０は一対の挟持部材１６，１７の前記径方向内方側の端面８９（内周面）よりも径方向外方側に位置しており、そのために、仕切り板１５の軸芯方向視（平面視）で仕切り板１５の外周部と一対の挟持部材１６，１７とが重複している。上側の挟持部材１６の前記端面８９と、下側の挟持部材１７の前記端面８９とは前記径方向で同一位置に位置している。仕切り板１５の外周部と一対の挟持部材１６，１７との重複部分の前記径方向の長さＬ（前記端面８９から仕切り板１５の外周縁８０までの長さ）は例えば２ｍｍ〜６ｍｍに設定することができる。
【００２９】
図１に示すように、前記筒状金具４の嵌合筒部１００は拡径されて、オリフィス２５の全体が前記第１液室１１Ａの内周壁１０１よりも前記径方向外方側に位置している。また、嵌合筒部１００と、防振基体３側の第２取付け具部分１０２とが軸芯方向に２分割されるとともに、嵌合筒部１００の上端側のフランジ１０３と、第２取付け具部分１０２のフランジ１０４とが互いに上下方向で溶接固着されている。
【００３０】
図５に示すように前記支持円板１４は、外周部側平板部２８と、ゴム膜７の下端部に内嵌する第１筒部２９と、下側の挟持部材１７の下端部に押圧作用する中間部側平板部３０と、下側の挟持部材１７の下端部に内嵌する第２筒部３１とから成る。外周部側平板部２８は、ダイヤフラム９の取付け板１０・筒状金具４・底金具５と共に一体にかしめ固定されている。
【００３１】
［別実施形態］
本発明はトランスミッションと車体フレームとの間に設けられる液封入式防振装置にも適用することができる。前記オリフィス２５の一部分が前記第１液室１１Ａの内周壁１０１よりも前記径方向外方側に位置していてもよい。前記嵌合筒部１００と、防振基体３側の第２取付け具部分１０２とを分割することなく一体に形成してあってもよい。
【図面の簡単な説明】
【００３２】
【図１】液封入式防振装置の縦断面図
【図２】挟持部材の平面図
【図３】挟持部材の側面図
【図４】仕切り体と支持円板の縦断面図
【図５】仕切り体と支持円板の分解縦断面図
【符号の説明】
【００３３】
１          第１取付け具
２          第２取付け具
３          防振基体
８          液体封入室
９          ダイヤフラム
１１Ａ        第１液室
１１Ｂ        第２液室
１２          仕切り体
１５          仕切り板
１６          挟持部材（一方の挟持部材）
１７          挟持部材（他方の挟持部材）
１８          ゴム部材
２５          オリフィス
８０          仕切り板の外周縁
８１          第１ゴム部
８２          第２ゴム部
８３          第３ゴム部
８４          オリフィス形成溝
８５          第１ストッパ面
８６          第２ストッパ面
８７，８８    テーパー面
８９          挟持部材の端面
１００          嵌合筒部
１０１          第１液室の内周璧
１０８          第３ストッパ面
１０９          第４ストッパ面
【図１】
2005180543.tif 000003
【図２】
2005180543.tif 000004
【図３】
2005180543.tif 000005
【図４】
2005180543.tif 000006
【図５】
2005180543.tif 000007